(57)【要約】【課題】ＭＰＥＧ等のデータ圧縮を施した画像、ビデオストリームから効率よく確度の高い電子透し情報を検出する。【解決手段】入力装置６からのＭＰＥＧストリーム１０１は、量子化スケールの大きさを判別して、電子透しを検出するか否かを示すＱＳ大小判定信号を出力する量子化スケール大小判定部１と、入力されたＭＰＥＧ信号をデコードするＭＰＥＧデコード部２とに入力される。量子化スケール大小判定部１は、入力されたＭＰＥＧ信号のＱＳの小さいフレームを電子透し抽出部４に与えるようにスイッチ３を制御する。電子透し抽出部４は、ＱＳの小さいフレームから電子透しを抽出することができるので、確度の高い電子透し情報を検出することができる。【選択図】      図１
2006254100.tif 000002
【特許請求の範囲】
【請求項１】
電子透かし情報が埋め込まれ、圧縮符号化された画像データを復号して電子透かし情報を検出する電子透し情報検出方法において、入力されるストリームから量子化スケールが小さな値を持つピクチャを判定、選択し、選択したピクチャ内の特定位置のブロックを用いて電子透し情報を検出することを特徴とする電子透かし情報検出方法。
【請求項２】
電子透かし情報が埋め込まれ、圧縮符号化された画像データを復号して電子透かし情報を検出する電子透し情報検出方法において、入力されるストリームのピクチャ毎に量子化スケールの平均値を算出し、算出した平均値の小さい量子化スケールを持つピクチャを判定、選択し、選択したピクチャを用いて電子透し情報を検出することを特徴とする電子透かし情報検出方法。
【請求項３】
電子透かし情報が埋め込まれ、圧縮符号化された画像データを復号して電子透かし情報を検出する電子透し情報検出方法において、入力されるストリームから量子化スケールが小さな値を持つピクチャを判定、選択し、選択したピクチャの複数を累積加算し、加算したピクチャ内の特定位置のブロックを用いて電子透し情報を検出することを特徴とする電子透かし情報検出方法。
【請求項４】
電子透かし情報が埋め込まれ、圧縮符号化された画像データを復号して電子透かし情報を検出する電子透し情報検出方法において、入力されるストリームのピクチャ毎に量子化スケールの平均値を算出し、算出した平均値の小さい量子化スケールを持つピクチャを判定、選択し、選択したピクチャの複数を累積加算し、加算したピクチャを用いて電子透し情報を検出することを特徴とする電子透かし情報検出方法。
【請求項５】
前記圧縮符号化された画像データが、ＭＰＥＧにより圧縮符号化された画像データであることを特徴とする請求項１ないし４のうちいずれか１記載の電子透かし情報検出方法。
【請求項６】
前記圧縮符号化された画像データが、ＭＰＥＧにより圧縮符号化された画像データであり、累積加算されるピクチャが、Ｉピクチャ、または、ＩピクチャとＰピクチャとであることを特徴とする請求項３または４記載の電子透かし情報検出方法。
【請求項７】
前記圧縮符号化された画像データが、ＭＰＥＧにより圧縮符号化された画像データであり、累積加算されるピクチャが、Ｉピクチャ、Ｐピクチャ、及び、量子化スケールの小さいＢピクチャであることを特徴とする請求項３または４記載の電子透かし情報検出方法。
【請求項８】
電子透かし情報が埋め込まれ、圧縮符号化された画像データを復号して電子透かし情報を検出する電子透し情報検出装置において、入力されるストリームから量子化スケールが小さな値を持つピクチャを判定、選択する手段と、選択したピクチャ内の特定位置のブロックを用いて電子透し情報を検出する手段とを備えることを特徴とする電子透かし情報検出装置。
【請求項９】
電子透かし情報が埋め込まれ、圧縮符号化された画像データを復号して電子透かし情報を検出する電子透し情報検出装置において、入力されるストリームのピクチャ毎に量子化スケールの平均値を算出する手段と、算出した平均値の小さい量子化スケールを持つピクチャを判定、選択する手段と、選択したピクチャを用いて電子透し情報を検出する手段とを備えることを特徴とする電子透かし情報検出装置。
【請求項１０】
電子透かし情報が埋め込まれ、圧縮符号化された画像データを復号して電子透かし情報を検出する電子透し情報検出装置において、入力されるストリームから量子化スケールが小さな値を持つピクチャを判定、選択する手段と、選択したピクチャの複数を累積加算する手段と、加算したピクチャ内の特定位置のブロックを用いて電子透し情報を検出する手段とを備えることを特徴とする電子透かし情報検出装置。
【請求項１１】
電子透かし情報が埋め込まれ、圧縮符号化された画像データを復号して電子透かし情報を検出する電子透し情報検出装置において、入力されるストリームのピクチャ毎に量子化スケールの平均値を算出する手段と、算出した平均値の小さい量子化スケールを持つピクチャを判定、選択する手段と、選択したピクチャの複数を累積加算する手段と、加算したピクチャを用いて電子透し情報を検出する手段とを備えることを特徴とする電子透かし情報検出装置。
【請求項１２】
前記圧縮符号化された画像データが、ＭＰＥＧにより圧縮符号化された画像データであることを特徴とする請求項８ないし１１のうちいずれか１記載の電子透かし情報検出装置。
【請求項１３】
前記圧縮符号化された画像データが、ＭＰＥＧにより圧縮符号化された画像データであり、累積加算されるピクチャが、Ｉピクチャ、または、ＩピクチャとＰピクチャとであることを特徴とする請求項１０または１１記載の電子透かし情報検出装置。
【請求項１４】
前記圧縮符号化された画像データが、ＭＰＥＧにより圧縮符号化された画像データであり、累積加算されるピクチャが、Ｉピクチャ、Ｐピクチャ、及び、量子化スケールの小さいＢピクチャであることを特徴とする請求項１０または１１記載の電子透かし情報検出方法。
【発明の詳細な説明】
【技術分野】
【０００１】
本発明は、電子透かし情報の検出方法及び装置に係り、特に、画像の著作権保護、画像の改竄防止等のために画像に埋め込まれた電子透かし等の目視しにくい情報を外部からの要求によって出力する電子透かし情報の検出方法及び装置に関する。
【背景技術】
【０００２】
アナログ画像と比較して、画像をデジタルデータとして扱うデジタル画像は、コンピュータ等によって画質劣化を伴わずに簡単にコピーすることができ、また、通信回線等を介して電送することができ、この場合にも画質劣化が生じないという特徴を有している。このような特徴のため、デジタル画像は、その画像が不正にコピーされた場合、著作権を持つ権利者等に与える損害が大きくなる。デジタル画像の不正コピーを防止する方法に関する従来技術として、電子透かしと呼ばれる技術があり、例えば、特許文献１等に記載された技術が知られている。
【０００３】
電子透かしには、大きく分類して、著作権情報、ユーザ情報等の透かし情報を目に見えない形で画像に埋め込む不可視型と、画像上に著作権を保有する会社のロゴ等の透かし画像を目に見える形で形成する可視型とがある。
【０００４】
不可視型の電子透かしは、透かし情報が埋め込まれている画像を一見しただけでは、透かし情報が埋め込まれているということが認識できないが、画像を特定の方法に従って処理することにより、埋め込まれている透かし情報のデータ、例えば、著作権情報等を取り出すことが可能である。前述の特許文献１に記載されている従来技術による方法は、著作権情報等の透かしデータを画像全体にノイズのような形で埋め込み、これを統計処理することによって透しデータを取り出すというものである。
【０００５】
この方法は、統計処理によるものであるため、透かしを埋め込んだ画像データが何らかの原因で劣化したような場合、例えば、画像全体にノイズが乗ったような状態の場合、元々埋め込んでおいた透かしデータを完全な形で取り出すことができず、あるいは、取り出したデータが充分信頼性のあるデータであることを保証できないことがある。この場合、例えば、著作権情報を透かしデータとして埋め込んでいたにもかかわらず、著作権の充分な保護を行うことができないことになる。
【０００６】
画像データの劣化の原因の１つとして、画像データに対する圧縮処理がある。現在広く用いられている動画像に対する圧縮方式の１つとして、ＭＰＥＧ（Moving Picture Experts Group）と呼ばれる方式が知られている。ＭＰＥＧは、動画像の各フレームを複数の圧縮方法に従って効率よく圧縮することができるものである。ここで用いられる圧縮方法には、フレーム内符号化方式と、フレーム間符号化方式とがあり、さらに、フレーム間符号化方式には、直前フレームを予測フレームとする順方向予測符号化方式と、直前と直後とのフレームを予測フレームとする双方向予測符号化方式とがある。ＭＰＥＧにおいて、フレーム内符号化方式による画像をＩピクチャ、順方向予測符号化方式による画像をＰピクチャ、双方向予測符号化方式による画像をＢピクチャと呼んでいる。
【０００７】
さて、画像圧縮処理に起因する画像データの劣化によって埋め込まれている透かしデータを正しく取り出すことができないという問題を解決することのできる従来技術として、例えば、特許文献２等に記載されている技術が知られている。この特許文献２に記載の従来技術は、動画像のうち一部の静止画のみが取り出されて不正コピーされることを想定し、不正コピーされた画像がＩピクチャ、すなわち、フレーム内符号化方式によるものであれば電子透かしの検出処理を容易に行うことができることに着目し、画像表示装置から静止画として出力できる画像をＩピクチャだけに限定する機構を設けるというものである。すなわち、動画像を表示する画像表示装置を使用するユーザが動画像の一時停止操作をしても、Ｉピクチャのフレーム以外では一時停止することができないようにする制限機構を設けるというものであり、これにより、著作権保護を確実に行うことができるようにしたものである。
【０００８】
一方、電子透かし検出を行う際、画像に埋め込まれている透かしデータを正確に検出することができたか否かの確からしさを一般に検出確度と呼んでいるが、この検出確度を上げるために、一般に、埋め込むデータ量に対して、変化させる画素の数量や変化量を単純に増加させるという方法が用いられている。しかし、この方法は、埋め込むデータの増加に比例して、画質の低下が見込まれるという問題がある。
【０００９】
以下に説明する本発明は、電子透かし埋め込み及び検出のアルゴリズムとして、特許文献３等に記載されて知られている技術を使用することを想定している。この特許文献３に記載のアルゴリズムは、電子透かし埋め込み時に、画像を複数の矩形ブロックに仮想的に分割し、それぞれの矩形ブロック内の同じ相対位置に輝度ノイズを埋め込み、電子透しの検出時に、このノイズを統計的に検出し、これを透かし情報として取り出すというものである。
【００１０】
前述のアルゴリズムは、平坦な輝度を持つ画像に埋め込んだ透かし情報は高い確度で検出することができるが、乱雑な輝度を持つ画像に埋め込んだ透かし情報は検出時の確度が低くなるという傾向にあるという特徴を有している。
【００１１】
一方、人間の視覚は、画像の平坦な部分のノイズは知覚し易く、乱雑な部分のノイズには鈍感であるという特性がある。これに加え、人間の視覚は、例えば、顔の輪郭のような、エッジ部分のノイズも知覚しやすく、また、動画として動きの激しい部分については、細かい部分を認識しないといった特性もある。実際に電子透かしを埋め込む際には、前述したような人間の視覚の特性を考慮して埋め込みを行うことによって、人間が知覚する画質の劣化を最小に抑えつつ、多くの透し情報を埋め込むことが可能になる。
【特許文献１】米国特許第５，６３６，２９２号明細書
【特許文献２】特開２００２−１０２２４号公報
【特許文献３】特開２０００−２７０２０５号公報
【発明の開示】
【発明が解決しようとする課題】
【００１２】
現在よく使用されているＭＰＥＧビデオストリームにおけるＰピクチャ画像の品質は、Ｉピクチャ画像の品質に比べてやや劣るものの大きくは変わらない。これに対して、Ｂピクチャ画像の品質は、他のピクチャ画像の品質に比べて大きく劣るものになっている。この理由は、Ｉピクチャ及びＰピクチャが、フレーム間符号化方式による予測フレームとして参照される画像であるのに対して、Ｂピクチャが、単に表示するために使用されるだけで、予測フレームとして参照されないためである。予測フレームとして参照される画像の場合、その画像の品質が参照先の画像品質に直接影響するため、品質をなるべく高く保持する必要がある。このように、ＭＰＥＧによって圧縮された動画像は、フレームによって画像の品質に差があることが普通である。
【００１３】
しかし、前述で説明した従来技術は、全てのフレームに対して同様の透かしデータの埋め込みを行い、また、全てのフレームにから透しデータの検出を行おうとしているため、電子透かし情報検出の効率が悪いという問題点を有している。例えば、Ｉピクチャとして圧縮される画像と、Ｂピクチャとして圧縮される画像とに対して、それぞれ同一の方法で透かしデータを埋め込んだ場合、動画像の内容によっては、Ｉピクチャからは正しく透かしデータを取り出すことができても、Ｂピクチャからは正しく取り出すことができない、あるいは、取り出した透かしデータの検出確度が低すぎるというようなことが起こり得る。このような場合は、Ｂピクチャから透かしデータを取り出すための計算量が結果的に無駄になる上、場合によっては取り出した透かしデータに誤った情報が乗ってしまう原因にもなる。誤った情報が乗ってしまう可能性がある場合、取り出した透しデータの情報が間違っているか否かについて、処理の後段で考慮する必要が生じてしまい、さらに計算量の増大に繋がってしまうことになる。
【００１４】
本発明の目的は、前述した従来技術の問題点を解決し、ＭＰＥＧ等のデータ圧縮を施した画像、ビデオストリームから効率よく確度の高い電子透し情報を検出することができる電子透かし情報の検出方法及び装置を提供することにある。
【課題を解決するための手段】
【００１５】
本発明によれば前記目的は、電子透かし情報が埋め込まれ、圧縮符号化された画像データを復号して電子透かし情報を検出する電子透し情報検出方法において、入力されるストリームから量子化スケールが小さな値を持つピクチャを判定、選択し、選択したピクチャ内の特定位置のブロックを用いて電子透し情報を検出することにより、また、入力されるストリームのピクチャ毎に量子化スケールの平均値を算出し、算出した平均値の小さい量子化スケールを持つピクチャを判定、選択し、選択したピクチャを用いて電子透し情報を検出することにより達成される。
【００１６】
また、前記目的は、前述において、選択したピクチャの複数を累積加算し、加算したピクチャ内の特定位置のブロックを用いて、また、加算したピクチャを用いて電子透し情報を検出することにより達成される。
【００１７】
また、前記目的は、電子透かし情報が埋め込まれ、圧縮符号化された画像データを復号して電子透かし情報を検出する電子透し情報検出装置において、入力されるストリームから量子化スケールが小さな値を持つピクチャを判定、選択する手段と、選択したピクチャ内の特定位置のブロックを用いて電子透し情報を検出する手段とを備えることにより、また、入力されるストリームのピクチャ毎に量子化スケールの平均値を算出する手段と、算出した平均値の小さい量子化スケールを持つピクチャを判定、選択する手段と、選択したピクチャを用いて電子透し情報を検出する手段とを備えることにより達成される。
【発明の効果】
【００１８】
本発明によれば、ＭＰＥＧ等のデータ圧縮方式により圧縮された動画像ストリームから、予め埋め込まれている電子透かし等の情報を検出する際に、検出のための計算量を低減することが可能となり、また、検出された電子透かしデータ等の検出確度を高めることが可能となり、さらに、同等程度の検出確度であれば画質を高めることが可能となるという効果を得ることができる。
【発明を実施するための最良の形態】
【００１９】
以下、本発明による電子透かし情報の検出方法及び装置の実施形態を図面により詳細に説明する。
【００２０】
本発明の実施形態を説明する前に、まず、本発明での基本的な考え方についてを説明する。すなわち、本発明は、量子化スケール（ＱＳ）に着目して、電子透かしを検出する画像の部分あるいはフレームを限定するものである。量子化スケール（ＱＳ）というパラメータは、ＭＰＥＧによる圧縮のために量子化演算を行う際に、
量子化後のデータ＝（離散コサイン変換係数×８）÷（量子化行列×２×ＱＳ）
という演算を行うが、この量子化スケールを調整することにより圧縮率を調整することを可能にするものである。
【００２１】
この量子化スケールは、マクロブロック（１６ドット×１６ドット）単位に指定することが可能であると定められており、例えば、画面上の複雑な模様の部分だけ圧縮率を低くするということも可能である。ＱＳを小さくすれば、圧縮率が小さくなり、画像の劣化も少なくなる。このことは、電子透かしの検出には、ＱＳの小さいところを使用して検出する方が、検出率を高くすることができることを意味している。また、画面間でも、ＱＳにより圧縮率を調整することができ、ＱＳの値が小さい画面は圧縮率が低く、劣化が少ないので、電子透かしの検出がしやすい。本発明は、このようなＱＳの特性を利用し、ＱＳの小さい画像内の部分あるいはフレームを限定して、それらから電子透かしを検出することとしたものである。なお、以下に説明する本発明の実施形態は、入力される画像の全てに電子透しの情報が埋め込まれているとしている。
【００２２】
図１は本発明の第１の実施形態による電子透かし情報の検出装置の構成を示すブロック図である。図１において、１は量子化スケール大小判定部、２はＭＰＥＧデコード部、３はスイッチ、４は電子透かし抽出部、５は電子透かし情報の検出装置、６はＭＰＥＧストリーム入力装置、７、８は表示装置である。
【００２３】
本発明の第１の実施形態による電子透かし情報の検出装置５は、ＭＰＥＧストリーム入力１０１が入力され、量子化スケールの大きさを判別して、電子透しを検出するか否かを示すＱＳ大小判定信号を出力する量子化スケール大小判定部１と、ＭＰＥＧストリーム入力１０１が入力され、入力されたＭＰＥＧ信号をデコードするＭＰＥＧデコード部２と、量子化スケール大小判定部１が出力する電子透しを検出するか否か示すＱＳ大小判定信号１０２により制御されるスイッチ３と、スイッチ３を経て入力される信号に含まれる電子透し抽出部４とにより構成される。
【００２４】
そして、電子透かし情報の検出装置５には、記録媒体等に記録された、あるいは、無線または有線により配信された電子透かし情報が埋め込まれたＭＰＥＧストリームを出力して電子透かし情報の検出装置５に入力するＭＰＥＧストリーム入力装置６が接続されていると共に、抽出された電子透しデータをモニタするための表示装置７及びＭＰＥＧデコード部２によりデーコードされた画像を表示する画像出力装置としての表示装置８が接続されている。
【００２５】
前述したように構成される本発明の第１の実施形態による電子透かし情報の検出装置５において、外部のＭＰＥＧストリーム入力装置６から入力されるＭＰＥＧストリーム入力１０１は、量子化スケール大小判定部１及びＭＰＥＧデコード手段２に供給される。量子化スケール大小判定部１は、入力されたストリーム中のＱＳ値の大小を判定する。この判定は、単一のフレーム（１枚の画像）内における統計処理によって、特定の相対位置に特異なノイズが乗っているかどうかを統計情報として抽出することにより行われる。そして、量子化スケール大小判定部１は、ＱＳ値の大小の判定結果として、電子透かしを検出すべきか否かの情報であるＱＳ大小判定信号１０２をスイッチ３に送る。
【００２６】
スイッチ３は、量子化スケール大小判定手段１からのＱＳ大小判定信号１０２による指示を元に動作し、指示された画像データを選択して出力する。この指示は、ＱＳ値が小さいとき、画像データを電子透かし抽出手段４に送るための指示である。このため、スイッチ３は、量子化スケール大小判定部１がＱＳの値が小さく電子透かしを検出すべきとした信号１０２によりオンとされ、入力されたＭＰＥＧストリームをデコードして画像データとして出力するＭＰＥＧデコード手段２からの画像データを電子透かし抽出部４に転送する。電子透かし抽出部４は、入力されたピクチャをフレーム単位で処理し、当該フレームの特定の相対位置のブロック内に電子透かしが埋め込まれているか否か、埋め込まれているならばその値は何かを検出する。
【００２７】
電子透かし抽出部４により検出された透し情報は、表示装置７に出力されてモニタ等のために表示され、また、ＭＰＥＧデコード部２によりデーコードされた画像データは、画像出力装置としての表示装置８に出力されて表示される。なお、ここでは、検出された透し情報とデコードされた画像とは、別々の表示装置に表示されるとしたが、本発明は、これらを１台の表示装置に同時に表示させるようにすることができる。この場合、透し情報は、表示される画像を邪魔しないような位置、例えば、画面の下部、上部、左側部、右側部に透し情報表示用の領域を設けて表示するようにすればよく、あるいは、これらの位置に表示される画像に重畳させて表示してもよい。
【００２８】
前記した本発明の第１の実施形態によれば、電子透しデータの検出の確度が高いと判断されるフレームだけが電子透かし抽出部４に入力されることになるので、電子透し抽出部４から出力される電子透しの情報として、確度の高い情報を得ることができる。
【００２９】
図２は本発明の第２の実施形態による電子透かし情報の検出装置の構成を示すブロック図である。図２において、９は量子化スケール平均値算出部であり、他の符号は図１の場合と同一である。
【００３０】
図２に示す本発明の第２の実施形態は、量子化スケール大小判定部１の前段に、入力されたＭＰＥＧストリーム１０１を受け取る量子化スケール平均値算出部９が備えられている点で、図１により説明した本発明の第１の実施形態と異なるだけで、その他の構成は、図１により説明した本発明の第１の実施形態と同一である。
【００３１】
量子化スケール平均値算出部９は、入力されたストリームの各フレームのＱＳの平均値を算出するものである。前述したように、ＱＳは、ブロック単位で設定され、１フレームの中には多数のブロックがあるので、量子化スケール平均値算出部９は、これらの複数のブロックに設定されたＱＳの平均値を算出する。量子化スケール大小判定手段１は、前述で算出された平均値の大小を判定することにより、そのフレームが他のフレームと比べて、どの程度画質の劣化が少ないかを判定することができ、これによりスイッチ３を制御する。本発明の第２の実施形態におけるその他の機能部での動作は、図１により説明した本発明の第１の実施形態の場合と同一であるので、ここでの説明を省略するが、電子透し抽出部４は、フレーム全体から、あるいは、フレームの特定の相対位置のブロックから電子透し情報の抽出を行う。この本発明の第２の実施形態によっても、前述した本発明の第１の実施形態の場合と同様な効果を得ることができる。
【００３２】
次に、本発明の第３の実施形態について説明するが、第３の実施形態を説明する前に、標準的に用いられるＭＰＥＧストリームにおけるピクチャの並びについて説明する。
【００３３】
図３は標準的に用いられるＭＰＥＧストリームにおけるピクチャの並びの例を説明する図である。図３において、２０１はＭＰＥＧストリーム、２０２はＭＰＥＧストリーム中のＧＯＰ(Group of Pictures）、２１１はＩピクチャ、２１２はＰピクチャである。
【００３４】
図３に示す例では、標準的に用いられるＭＰＥＧストリームが１５ピクチャ毎にＧＯＰを構成するものとしており、この１５ピクチャからなるＧＯＰの中に、１つのＩピクチャ、４つのＰピクチャが含まれ、それらが３フレーム毎に現われるとされている。なお、１ＧＯＰを幾つのピクチャにより構成するか、Ｉピクチャ、Ｐピクチャを幾つのフレーム毎に有するようにするかは、任意に設定することができるものである。
【００３５】
本発明の第３の実施形態は、前述したようなＭＰＥＧストリームにおけるピクチャの並びによる複数のフレームのうちＱＳの平均値が小さいピクチャを累積して記憶させ、電子透かし抽出手段に入力することにより、精度の高い電子透しの検出を行うことができるようにしたものである。
【００３６】
図４は本発明の第３の実施形態による電子透かし情報の検出装置の構成を示すブロック図である。図４において、１１は累積加算処理部、１２は累積情報記憶部であり、他の符号は図１の場合と同一である。
【００３７】
図４に示す本発明の第３の実施形態において、量子化スケール大小判定部１、ＭＰＥＧデコード部２での処理動作は前述で説明した本発明の第１の実施形態と同一である。なお、図４に示す例においても、前述した本発明の第２の実施形態の場合と同様に、量子化スケール大小判定部１の前段に、入力されたＭＰＥＧストリームを受け取る量子化スケール平均値算出部９が備えられてもよい。そして、本発明の第３の実施形態では、スイッチ３を経て転送された複数のフレームを加算する累積加算処理部１１と、該累積加算処理部１１からの累積情報をいったん蓄積して電子透し検出部４に渡す累積情報記憶部１２とが設けられている。
【００３８】
前述したような構成を有する本発明の第３の実施形態において、ＭＰＥＧデコード手段２からは、図３に矢印で示す時間軸に従ってＭＰＥＧストリーム２０１の各フレームがデコードされた各ピクチャが画像データとして出力される。量子化スケール大小判定部１は、ＭＰＥＧストリーム２０１の複数のフレームのうちＱＳの平均値が小さいピクチャを検出してスイッチ３を閉じ、それらのピクチャの複数が累積加算処理部１１に入力される。
【００３９】
累積加算処理部１１は、予め設定したフレーム数のピクチャについて統計的な加算処理を行い、画像データ上の特定の相対位置に、特異なノイズが乗っているかどうかを統計情報として得るための処理を行う。加算処理をおこなった結果は、累積情報として累積情報記憶部１２に一旦記憶され、その後順次、電子透かし抽出部４に送られる。
【００４０】
前述した本発明の第１の実施形態は、単一のフレーム内における統計処理によって、特定の相対位置に特異なノイズが乗っているかどうかを統計情報として抽出するものであったが、本発明の第３の実施形態では、複数のフレーム、すなわち、より多くのサンプル画像に対して同様の統計処理を施し、特定の相対位置に特異なノイズが乗っているかどうかを統計情報として抽出している。これにより、本発明の第３の実施形態は、検出確度の高い電子透かしの検出を行うことができる。特に、この本発明の第３の実施形態は、ＭＰＥＧストリームが静止画的な動画、すなわち、動画であっても例えば風景を固定して一定時間表示するような画像での電子透しを検出する場合に、極めて確度の高い透し情報を得ることができる。
【００４１】
累積ピクチャ情報を生成する方法としては、ピクチャ毎の情報を別々に記憶しておいて必要に応じて加算処理を行う方法や、累積処理対象のピクチャが現れるたびに順次加算処理を行っておくといった方法をとることができる。また、累積されている統計情報と、現在の検出対象ピクチャからの統計情報とを、同一の重み付けで処理する必要はなく、例えば、現在の検出対象ピクチャからの情報を重要視するといった処理をしてもよい。
【００４２】
前述において、量子化スケール大小判定部１の制御により累積加算処理部１１に入力されるＱＳの平均値が小さいピクチャとしては、Ｉピクチャ及びＰピクチャとなるが、ＢピクチャにもＱＳの平均値が小さいものがあり、このようなＢピクチャをふくませることもできる。すなわち、累積加算処理部１１に入力するピクチャを、Ｉピクチャだけとすることもでき、また、Ｉピクチャ及びＰピクチャとすることもできる。さらに、Ｂピクチャの中のＱＳの平均値が小さいピクチャをＩピクチャ及びＰピクチャに加えて累積加算処理部１１に入力するようにすることもできる。
【００４３】
前述した本発明の第３の実施形態によれば、ＭＰＥＧストリームにおけるピクチャの並びによる複数のフレームのうちＱＳの平均値が小さいピクチャを累積して記憶させ、電子透かし抽出手段に入力することとしているので、より精度の高い電子透しの検出を行うことができる。
【図面の簡単な説明】
【００４４】
【図１】本発明の第１の実施形態による電子透かし情報の検出装置の構成を示すブロック図である。
【図２】本発明の第２の実施形態による電子透かし情報の検出装置の構成を示すブロック図である。
【図３】標準的に用いられるＭＰＥＧストリームにおけるピクチャの並びの例を説明する図である。
【図４】本発明の第３の実施形態による電子透かし情報の検出装置の構成を示すブロック図である。
【符号の説明】
【００４５】
１  量子化スケール大小判定部
２  ＭＰＥＧデコード部
３  スイッチ
４  電子透かし抽出部
５  電子透かし情報の検出装置
６  ＭＰＥＧストリーム入力装置
７、８  表示装置
９  量子化スケール平均値算出部
１１  累積加算処理部
１２  累積情報記憶部
２０１  ＭＰＥＧストリーム
２０２  ＭＰＥＧストリーム中のＧＯＰ(Group of Pictures）
２１１  Ｉピクチャ
２１２  Ｐピクチャ
【図１】
2006254100.tif 000003
【図２】
2006254100.tif 000004
【図３】
2006254100.tif 000005
【図４】
2006254100.tif 000006